(57)【特許請求の範囲】
【請求項１】
第１の端子が収容されるキャビティが少なくとも２個並んで設けられた第１のコネクタハウジングと、
この第１のコネクタハウジングを内側に嵌合可能でかつ前記第１の端子と接続される第２の端子が収容されるキャビティが対応して設けられた第２のコネクタハウジングと、が備えられ、
この第２のコネクタハウジングには、嵌合方向の前方に延出した延出端に内向きのロック突部を設けたロックアームが、前記延出端側を内外に揺動させるように弾性変位可能に設けられる一方、
前記第１のコネクタハウジングでは前記２個のキャビティが略円形断面に形成されて、この２個のキャビティ間がデッドスペースとされており、前記第１のコネクタハウジングの外面における前記２個のキャビティの間には、両コネクタハウジングが正規に嵌合された場合に前記ロックアームの前記ロック突部が弾性的に嵌って係止されるロック凹部が前記デッドスペースを利用して形成されるとともに、このロック凹部は、前記デッドスペースにおける前記２個のキャビティが最も近づいた部分よりも幅広に形成され、
かつ前記ロック凹部の正面から見た断面形状が、方形でかつ前記各キャビティと対向した２つの角に面取りが施された形状となっていることを特徴とするコネクタ。
【請求項２】
前記第１のコネクタハウジングの外面における前記ロック凹部の前側には、同ロック凹部と同じ断面形状をなす前後方向を向いたガイド溝が、前記ロック凹部との間に隔壁を介し、かつ同第１のコネクタハウジングの前端面に開口して形成されていることを特徴とする請求項１記載のコネクタ。
【請求項３】
前記ガイド溝の前端の開口縁には、奥側に向けて次第に窄まるように傾斜した誘い込み面が形成されていることを特徴とする請求項２記載のコネクタ。
【発明の詳細な説明】
【技術分野】
【０００１】
本発明は、コネクタに関する。
【背景技術】
【０００２】
従来、雌雄のコネクタハウジング同士を嵌合状態に保持する手段としてロックアームが使用されており、その一例として特許文献１に記載のものが挙げられる。このものは、雌ハウジングの外面にロック突部が突設される一方、この雌ハウジングに外嵌される雄ハウジングにシーソー状に弾性変位可能なロックアームが設けられて、その先端にロック孔が形成されており、雌雄のハウジングは、ロックアームがロック突部に乗り上げて弾性変位しつつ嵌合され、正規嵌合されると、ロックアームが復元変位してロック孔にロック突部が嵌ることで、嵌合状態にロックされるようになっている。
【特許文献１】特開２０００−１７３７０９公報
【発明の開示】
【発明が解決しようとする課題】
【０００３】
一方この種のコネクタでは、雌ハウジングをパネルに設けた開口から同パネルの裏側に通し、同裏側で相手の雄ハウジングと嵌合するといった作業形態を取る場合があるが、パネルの強度を考慮して開口は必要最小限に留められる。しかるに上記従来のものでは、雌ハウジングの外面にロック突部が突設されて外形が大きくなっているために、パネルの開口を通し辛いという問題があった。  
本発明は上記のような事情に基づいて完成されたものであって、その目的は、ロックアームに係止される側のコネクタハウジングの小型化を図り、なおかつロック強度を高めるところにある。
【課題を解決するための手段】
【０００４】
本発明は、第１の端子が収容されるキャビティが少なくとも２個並んで設けられた第１のコネクタハウジングと、この第１のコネクタハウジングを内側に嵌合可能でかつ前記第１の端子と接続される第２の端子が収容されるキャビティが対応して設けられた第２のコネクタハウジングと、が備えられ、この第２のコネクタハウジングには、嵌合方向の前方に延出した延出端に内向きのロック突部を設けたロックアームが、前記延出端側を内外に揺動させるように弾性変位可能に設けられる一方、前記第１のコネクタハウジングでは前記２個のキャビティが略円形断面に形成されて、この２個のキャビティ間がデッドスペースとされており、前記第１のコネクタハウジングの外面における前記２個のキャビティの間には、両コネクタハウジングが正規に嵌合された場合に前記ロックアームの前記ロック突部が弾性的に嵌って係止されるロック凹部が前記デッドスペースを利用して形成されるとともに、このロック凹部は、前記デッドスペースにおける前記２個のキャビティが最も近づいた部分よりも幅広に形成され、かつ前記ロック凹部の正面から見た断面形状が、方形でかつ前記各キャビティと対向した２つの角に面取りが施された形状となっているところに特徴を有する。
【０００５】
上記構成によれば、ロックアームに係止する手段が、第１のコネクタハウジングの外面にロック凹部を凹み形成した構造であり、またロック凹部は２個のキャビティの間に形成されるのであるから、同ロック凹部を形成するために外面に肉盛りする必要がなく、第１のコネクタハウジングの外形を小さく抑えることができる。また、ロック凹部の正面から見た断面形状を、方形でかつ各キャビティと対向した２つの角に面取りが施された形状としたから、同ロック凹部は、略円形断面をなす両キャビティの間のデッドスペースにおいて、両キャビティと干渉することなく極力幅広に形成でき、すなわちロックアームに対する掛かり代を大きく取ることができ、もって第１のコネクタハウジングの大型化を招くことなく、ロック強度を高めることができる。
【０００６】
また、以下のような構成としてもよい。  
（１）前記第１のコネクタハウジングの外面における前記ロック凹部の前側には、同ロック凹部と同じ断面形状をなす前後方向を向いたガイド溝が、前記ロック凹部との間に隔壁を介し、かつ同第１のコネクタハウジングの前端面に開口して形成されている。  
両コネクタハウジングが嵌合されると、ロックアームのロック突部がガイド溝に沿って進出し、途中でロックアームが弾性変位しつつロック突部が隔壁に乗り上げ、正規に嵌合されると、ロック突部が隔壁を通過することでロックアームの弾性的な復動を伴ってロック凹部に嵌り、ロックされる。ガイド溝を設けたことで、嵌合抵抗が小さく抑えられる。また、ガイド溝の断面形状が方形と比べて複雑となっているために、ロックアームのロック突部ががたつきをより有効に抑えられて進出し、嵌合動作がよりスムーズに行われる。
【０００７】
（２）前記ガイド溝の前端の開口縁には、奥側に向けて次第に窄まるように傾斜した誘い込み面が形成されている。  
ロックアームが振れた姿勢で両コネクタハウジングが嵌合されたとしても、ロックアームのロック突部が誘い込み面に当たって案内されることで、ロックアームすなわち第１のコネクタハウジングが真直姿勢に向きを矯正されつつ、相手の第２のコネクタハウジングと嵌合される。
【発明の効果】
【０００８】
本発明によれば、ロックアームに係止される側のコネクタハウジングの小型化を図ることができ、なおかつロック強度を高めることができる。
【発明を実施するための最良の形態】
【０００９】
＜実施形態＞
本発明の一実施形態を図１ないし図２７に基づいて説明する。この実施形態では、互いに嵌合される雌コネクタＦと雄コネクタＭとを備えており、信号用電線となる２本のシールド電線１１と、電源用電線となる１本の被覆電線１２とからなる電線群同士を接続することに機能し、ハイブリッド形式のコネクタとなっている。  
以下では、各コネクタＦ，Ｍについて、嵌合時に相手コネクタと対向する側を前方として説明する。
【００１０】
雌コネクタＦについて説明する。雌コネクタＦは、図３及び図４に示すように、雌側のコネクタハウジング１０（以下、雌ハウジング１０という）に、シールド電線１１の端末に固着された丸形で大型になる２個の雌側のシールド端子１３（以下、雌シールド端子１３）と、被覆電線１２の端末に固着された角形で小型になる１個の雌端子２０とが収容され、それぞれリテーナ３０により二重係止されて装着されるようになっている。  
シールド電線１１は、図３に示すように、軸心側から順に、芯線１１Ａ、絶縁内皮１１Ｂ、編組線１１Ｃ、絶縁外皮１１Ｄを同心に備えた公知構造のものであり、このうち芯線１１Ａは、自動車の電気回路の信号線を構成し、編組線１１Ｃは、同電気回路のアース線を構成する。
【００１１】
雌シールド端子１３は、同じく図３に示すように、シールド電線１１の芯線１１Ａに接続される内導体１３Ａ（以下、雌内導体１３Ａという）の回りに、絶縁材からなる誘電体１３Ｂを介して、外導体１３Ｃ（以下、雌外導体１３Ｃという）が配された構造である。雌外導体１３Ｃは詳細には、誘電体１３Ｂの外周に間隔を開けて嵌着される略円筒形をなし、その後部側に前後２個のバレル１４Ａ，１４Ｂが設けられており、前側のバレル１４Ａが編組線１１Ｃに、後側のバレル１４Ｂが絶縁外皮１１Ｄにそれぞれかしめ圧着されている。  
雌シールド端子１３における雌外導体１３Ｃと誘電体１３Ｂとの間には、後記する相手の雄側のシールド端子５３（以下、雄シールド端子５３という）における外導体５３Ｃ（以下、雄外導体５３Ｃいう）が挿入されるようになっている。また、誘電体１３Ｂの前壁には、同じく相手の雄シールド端子５３における内導体５３Ａ（以下、雄内導体５３Ａという）のタブ５４が挿入される挿入口１５が形成されている。  
一方、小型の雌端子２０は、内部に弾性接触片を設けた角筒部２１の後端側に、前後２個のバレル２２Ａ，２２Ｂが設けられ、それぞれ被覆電線１２における芯線１２Ａの端末と被覆１２Ｂの端末とにそれぞれかしめ圧着されて、同被覆電線１２の端末に接続されている。
【００１２】
雌ハウジング１０は合成樹脂製であって、図５ないし図８にも示すように、前後方向にやや長いブロック状に形成されており、上記した雌シールド端子１３が挿入される２個の大キャビティ２５Ｌと、小型の雌端子２０が挿入される１個の小キャビティ２５Ｓとが形成されている。  
大キャビティ２５Ｌは、雌シールド端子１３がほぼ緊密に挿入される略円形断面で、かつ前後方向に延出した形態をなし、雌ハウジング１０における下側の略２／３の領域において、２個の大キャビティ２５Ｌが、所定間隔を開けて左右に並んで形成されている。雌ハウジング１０における底面側の左右両角部は、大キャビティ２５Ｌよりも一回り大きい円弧形に形成されている。
【００１３】
各大キャビティ２５Ｌの天井面における前端側に寄った位置には、前方を向いた片持ち状をなして弾性変位可能なランス２６Ｌが形成され、雌シールド端子１３における雌外導体１３Ｃの底面に開口されたランス孔１６に係止可能となっている。天井面の上記したランス２６Ｌを挟んだ左右両側には、雌シールド端子１３におけるランス孔１６の左右両側に立てられたスタビライザ１７を摺動案内するガイド溝２７Ｌが形成されている。大キャビティ２５Ｌの前壁には、相手の雄シールド端子５３の先端側が挿入可能な開口部２８Ｌが形成されている。  
各雌シールド端子１３は、図３に示すように、上下反転させた姿勢において大キャビティ２５Ｌ内に後方から挿入され、スタビライザ１７をガイド溝２７Ｌに沿わせつつ、かつ終盤ではランス２６Ｌを弾性変位させつつ押し込まれ、前壁に当たる正規位置まで押し込まれると、ランス２６Ｌが復動変位してランス孔１６に嵌ることで、抜け止め状態に一次係止されるようになっている。
【００１４】
雌ハウジング１０の上側の領域でかつ両大キャビティ２５Ｌの間の位置には、上記した１個の小キャビティ２５Ｓが形成されている。この小キャビティ２５Ｓは、雌端子２０がほぼ緊密に挿入される略方形断面で、同じく前後方向に延出した形態をなしている。  
小キャビティ２５Ｓの底面における前端側に寄った位置には、前後方向を向いた両持ち状をなして上下方向に弾性変位可能なランス２６Ｓが形成され、雌端子２０の角筒部２１における前端側の上面に突設された係止突起２３に係止可能となっている。小キャビティ２５Ｓの底面における後面から見た右端には、雌端子２０の角筒部２１における後端側の上面の一側縁に立てられたスタビライザ２４を摺動案内するガイド溝２７Ｓが形成されている。また、小キャビティ２５Ｓの前壁には、後記する相手の雄端子６０のタブ６２が挿入可能な開口部２８Ｓが形成されている。  
雌端子２０は、図４に示すように、上下反転させた姿勢において小キャビティ２５Ｓ内に後方から挿入され、スタビライザ２４をガイド溝２７Ｓに沿わせつつ、かつ終盤ではランス２６Ｓを弾性変位させつつ押し込まれ、前壁に当たる正規位置まで押し込まれると、ランス２６Ｓが復動変位して係止突起２３の後面に係止することで、抜け止め状態に一次係止されるようになっている。
【００１５】
雌ハウジング１０には、上記した２本の雌シールド端子１３と、１本の雌端子２０とを併せて抜け止め状態に二重係止するリテーナ３０が装着されるようになっている。  
そのため、雌ハウジング１０の下面には、リテーナ３０を挿入するリテーナ挿入孔４０が形成されている。リテーナ挿入孔４０は、図８に示すように、雌ハウジング１０の下面における長さ方向の中央部において、同下面の全幅を横切るようにして形成され、両大キャビティ２５Ｌ並びに小キャビティ２５Ｓと交差して連通するように、雌ハウジング１０の上面付近まで立ち上がり形成されている。また、リテーナ挿入孔４０の両端部には、雌ハウジング１０の左右両側面に沿うようにして、幅広のあり溝状の係止用溝４１が形成されている。
【００１６】
リテーナ３０は、合成樹脂製であって、図９及び図１０に示すような形状となっている。すなわち、上記したリテーナ挿入孔４０の入口に緊密に嵌る基部３１の両端から、係止用溝４１に摺動自由に嵌合する被係止板３２が立ち上がり形成されている。基部３１の中央には仕切壁３３が立ち上がり形成され、その両側に、上記した大キャビティ２５Ｌと整合する断面形状を持った上面開放の凹部３４が形成されており、各凹部３４の底面には、雌シールド端子１３における雌外導体１３Ｃの上面後端に形成された突起１８に係止する係止部３５Ｌが形成されている。  
また、仕切壁３３の上端には底壁構成部３６が形成され、この底壁構成部３６の上面には、小キャビティ２５Ｓの下端部と整合する断面形状を持った凹溝３７が形成され、この凹溝３７の底面に、雌端子２０のスタビライザ２４に係止する係止部３５Ｓが形成されている。
【００１７】
リテーナ３０の両被係止板３２の対向面には方形の係止凹部３８が形成され、この係止凹部３８の上縁が、係止用溝４１の溝底面に形成された下側の仮係止突部４２に係止することでリテーナ３０が仮係止位置に保持され、また、上側の本係止突部４３に係止することで本係止位置に保持されるようになっている。  
リテーナ３０が仮係止位置にあるときには、係止部３５Ｌ，３５Ｓが、対応する大キャビティ２５Ｌまたは小キャビティ２５Ｓの下方に退避して、大キャビティ２５Ｌへの雌シールド端子１３の挿入、または小キャビティ２５Ｓへの雌端子２０の挿入を許容する。一方、雌シールド端子１３、雌端子２０の挿入後に、リテーナ３０が本係止位置に押し込まれて保持されると、係止部３５Ｌ，３５Ｓが、対応する大キャビティ２５Ｌまたは小キャビティ２５Ｓ内に突入し、雌シールド端子１３の突起１８または雌端子２０のスタビライザ２４にそれぞれ係止し、すなわち二重係止するようになっている。  
リテーナ３０が本係止位置に押し込まれたときには、基部３１が雌ハウジング１０の下面と面一となる。
【００１８】
次に、雄コネクタＭについて説明する。雄コネクタＭは、後記するように、自動車のボディ（図示せず）に固定されたブラケットＢ（図２１）に取り付けられるようになっており、図１１及び図１２に示すように、雄側のコネクタハウジング５０（以下、雄ハウジング５０という）に、シールド電線１１の端末に固着された丸形で大型になる２個の雄シールド端子５３と、被覆電線１２の端末に固着された小型の１個の雄端子６０とが収容され、それぞれリテーナ７０により二重係止されて装着されるようになっている。
【００１９】
雄シールド端子５３は、図１１に示すように、シールド電線１１の芯線１１Ａに接続される雄内導体５３Ａの回りに、絶縁材からなる誘電体５３Ｂを介して、雄外導体５３Ｃが配された構造である。より詳細には、雄内導体５３Ａは、先端にタブ５４が突設けられた形状である一方、雄外導体５３Ｃは、雌外導体１３Ｃに比べて小径でかつ長い略円筒形をなし、その後部側に、前後２個のバレル５５Ａ，５５Ｂが設けられた形状である。そして、雄内導体５３Ａの外周に誘電体５３Ｂが嵌着され、さらにその外周に雄外導体５３Ｃの後半部が嵌着されて、前側のバレル５５Ａが編組線１１Ｃに、後側のバレル５５Ｂが絶縁外皮１１Ｄにそれぞれかしめ圧着されているとともに、雄外導体５３Ｃの前半部が、雄内導体５３Ａのタブ５４の外周を囲んだ構造となっている。  
小型の雄端子６０は、角筒形の本体部６１の先端にタブ６２が設けられるとともに、本体部６１の後側に、前後２個のバレル６３Ａ，６３Ｂが設けられており、前後のバレル６３Ａ，６３Ｂが、被覆電線１２における芯線１２Ａの端末と被覆１２Ｂの端末とにそれぞれかしめ圧着されて、同被覆電線１２の端末に接続されている。
【００２０】
雄ハウジング５０は合成樹脂製であって、図１３ないし図１６にも示すように、端子収容部５１の前面に、上記した雌ハウジング１０の前端側がほぼ緊密に嵌合されるフード部５２が突設された構造であって、端子収容部５１には、上記した雄シールド端子５３が挿入される２個の大キャビティ６５Ｌと、小型の雄端子６０が挿入される１個の小キャビティ６５Ｓとが形成されている。詳細には、雌ハウジング１０の大キャビティ２５Ｌ並びに小キャビティ２５Ｓと対向するようにして、端子収容部５１における下側の領域において、２個の大キャビティ６５Ｌが左右に並んで形成されているとともに、両大キャビティ６５Ｌの間の位置に小キャビティ６５Ｓが形成されている。
【００２１】
各大キャビティ６５Ｌの天井面における前端側に寄った位置には、前方を向いた片持ち状をなして弾性変位可能なランス６６Ｌが形成され、雄シールド端子５３における雄外導体５３Ｃの上面に開口されたランス孔５６に係止可能となっている。天井面の上記したランス６６Ｌを挟んだ左右両側には、雄シールド端子５３におけるランス孔５６の左右両側に立てられたスタビライザ５７を摺動案内するガイド溝６７Ｌが形成されている。  
各雄シールド端子５３は、大キャビティ６５Ｌ内に後方から挿入され、スタビライザ５７をガイド溝６７Ｌに沿わせつつ、かつ終盤ではランス６６Ｌを弾性変位させつつ押し込まれ、雄外導体５３Ｃの前半部分がフード部５２内に突出した正規位置まで押し込まれると、ランス６６Ｌが復動変位してランス孔５６に嵌ることで、抜け止め状態に一次係止されるようになっている。
【００２２】
小キャビティ６５Ｓの天井面における前端側に寄った位置には、前後方向を向いた両持ち状をなして上下方向に弾性変位可能なランス６６Ｓが形成され、雄端子６０の本体部６１における前端側の上面に突設された係止突起６４Ａに係止可能となっている。小キャビティ６５Ｓの天井面における後面から見た右端には、雄端子６０の本体部６１における後端側の上面の一側縁に立てられたスタビライザ６４Ｂを摺動案内するガイド溝６７Ｓが形成されている。  
雄端子６０は小キャビティ６５Ｓ内に後方から挿入され、スタビライザ６４Ｂをガイド溝６７Ｓに沿わせつつ、かつ終盤ではランス６６Ｓを弾性変位させつつ押し込まれ、タブ６２がフード部５２内に突出した正規位置まで押し込まれると、ランス６６Ｓが復動変位して係止突起６４Ａの後面に係止することで、抜け止め状態に一次係止されるようになっている。
【００２３】
雄ハウジング５０には、上記した２本の雄シールド端子５３と、１本の雄端子６０とを併せて抜け止め状態に二重係止するリテーナ７０が装着されるようになっている。  
そのため端子収容部５１の上面には、リテーナ挿入孔８０が形成されている。リテーナ挿入孔８０は、図１５に示すように、ほぼ全幅にわたる領域において、端子収容部５１の上側部分を除去するようにして、大キャビティ６５Ｌと小キャビティ６５Ｓとに連通して形成されている。リテーナ挿入孔８０の両端部には、係止用溝８１が形成されている。
【００２４】
リテーナ７０は合成樹脂製であって、図１７ないし図１９に示すような形状となっている。すなわち、上記したリテーナ挿入孔８０の入口に緊密に嵌る基板７１を備えており、基板７１の前部側における左右両側に、雄シールド端子５３のスタビライザ５７に係止可能な板状の係止部７５Ｌが、一対ずつ垂下して形成されている。  
また、基板７１の後部側の中央からは、短寸の柱７２が垂下して形成され、その柱７２の下面には、小キャビティ６５Ｓの上端部と整合する断面形状を持った凹溝７３が形成され、この凹溝７３の天井面に、雄端子６０のスタビライザ６４Ｂに係止する係止部７５Ｓが形成されている。
【００２５】
リテーナ７０の基板７１における左右両端部からは、前後一対ずつの係止アーム７６Ａ，７６Ｂが垂設されており、それぞれ係止用溝８１内に挿入可能となっている。リテーナ７０がリテーナ挿入孔８０に挿入され、図２０の実線に示すように、後側の仮係止アーム７６Ａが、係止用溝８１の後面壁の相対的な高位置に設けられた仮係止部８３Ａに係止することで、リテーナ７０が仮係止位置に保持され、また、同図の鎖線に示すように、前側の本係止アーム７６Ｂが、係止用溝８１の前面壁の相対的な低位置に設けられた本係止部８３Ｂに係止することで、本係止位置に保持されるようになっている。  
リテーナ３０が仮係止位置にあるときには、係止部７５Ｌ，７５Ｓが、対応する大キャビティ６５Ｌまたは小キャビティ６５Ｓの上方に退避して、大キャビティ６５Ｌへの雄シールド端子５３の挿入、または小キャビティ６５Ｓへの雄端子６０の挿入を許容する。一方、雄シールド端子５３、雄端子６０の挿入後に、リテーナ７０が本係止位置に押し込まれて保持されると、係止部７５Ｌ，７５Ｓが、対応する大キャビティ６５Ｌまたは小キャビティ６５Ｓ内に突入し、雄シールド端子５３のスタビライザ５７または雄端子６０のスタビライザ６４Ｂにそれぞれ係止し、すなわち二重係止するようになっている。  
リテーナ７０が本係止位置にあるときには、基板７１が雄ハウジング５０の上面と面一となる。
【００２６】
上記したように、雄コネクタＭはブラケットＢに取り付けられるようになっており、また雄ハウジング５０には、ブラケットＢに対して雄シールド端子５３に接続されたシールド電線１１の編組線１１Ｃを電気的に接続するべくアース端子９０が装着されるようになっている。  
ブラケットＢは、導電性に優れた金属板製であって、図２１に示すように、ボディとの固定箇所から片持ち状に延びた形状をなし、先端部近くの幅方向の中央部に、厚さ方向に貫通する嵌合孔Ｂａが開口されている。  
雄ハウジング５０における正面から見た右側面には、ブラケット取付部８５が設けられている。ブラケット取付部８５は、後方へ開放する袋状に形成され、その内部がブラケット挿入空間８６となっており、同ブラケット取付部８５の外壁には弾性変位可能な片持ち状の取付片８７が設けられ、その先端部内面に、ブラケットＢの嵌合孔Ｂａに嵌合可能な嵌合突部８７Ａが形成されている。
【００２７】
アース端子９０は、導電性に優れた金属板をプレス成形して形成され、図２２ないし図２４に示すように、水平方向に沿った基板９１と、基板９１の前縁側に切り起こして形成された一対の端子接触片９２と、基板９１の一側縁（後面から見た左側縁）の後端部から上方へ屈曲された側板９３と、側板９３から延出されるブラケット接触片９４とから構成されている。このうち、各端子接触片９２が、雄シールド端子５３の雄外導体５３Ｃに、ブラケット接触片９４がブラケットＢにそれぞれ弾性接触可能となっている。  
基板９１は、平面矩形をなし、両側縁の中央部分には、雄ハウジング５０に対して係止可能な抜け止め片９５が切り起こし形成されている。端子接触片９２は、基板９１の前縁に一対のスリット９２Ｂを入れるとともに、両スリット９２Ｂ間の部分をさらに前方へ延出させてなる板片を折り返すことで片持ち状に形成されている。より詳細には、基板９１から前方の斜め上方に延出されたのち、基板９１の前端位置で基板９１側へ折り返され、その折り返し部が雄シールド端子５３との接点部９２Ａとなっており、基端部を支点として上下方向に沿って弾性変形可能とされている。  
ブラケット接触片９４は、側板９３の前縁から前方に延出して形成され、途中位置が基板９１から離間する方向に膨出した略山形をなし、その頂点部分が接点部９４Ａとなっており、基端を支点として基板９１に対して接離する方向に弾性変形可能とされている。
【００２８】
一方、雄ハウジング５０における端子収容部５１には、図１４に示すように、上記したアース端子９０を装着するためのアース端子装着溝１００が形成されている。アース端子装着溝１００は、端子収容部５１の後面に開口した溝状をなし、アース端子９０の外形に合わせて後方から見て略Ｌ字型をなしており、基板９１が収容されるべく幅方向に沿って延びた基板収容部１０１と、側板９３が収容されるべく左端から立ち上がった側板収容部１０２とを繋げた形状となっている。基板収容部１０１は、両大キャビティ６５Ｌの下側に配され、側板収容部１０２は、図１４に示す左側の大キャビティ６５Ｌとブラケット挿入空間８６との間に配されている。  
両大キャビティ６５Ｌの底壁には、基板収容部１０１と連通するとともに、端子接触片９２が大キャビティ６５Ｌ内へ進入することを許容する端子接触片挿通溝１０４が、それぞれ後方へ開口して形成されている。  
一方、側板収容部１０２とブラケット挿入空間８６との間には、両者を連通するとともに、ブラケット接触片９４がブラケット挿入空間８６内へ進入することを許容するブラケット接触片挿通溝１０５が、同じく後方へ開口して設けられている。
【００２９】
続いて、上記した雌雄のコネクタＦ，Ｍを正規の嵌合状態にロックするための構造を説明する。  
雄ハウジング５０の下面側には、ロックアーム１１０の収容部１１１が膨出して形成されている。この収容部１１１は、図１２及び図１６に示すように前後両面が開口されているとともに、下面壁における後半分の領域に窓孔１１２が開口されている。  
ロックアーム１１０は、全体として前後方向に延びた形状であって、収容部１１１内の幅方向の中央部に配されている。ロックアーム１１０の前端部には、上向きの鈎状をなすロック突部１１４が設けられている。同ロック突部１１４は、図１２に示すように、後面が略鉛直に切り立ったロック面１１５とされているとともに、前面が、下端に向けて次第に前方に突出するように傾斜したガイド面１１６とされている。また、上面の左右両角がＣ面１１７とされている。  
ロックアーム１１０の後端部には、下方から押圧操作可能な操作部１１８が設けられており、ロック突部１１４を備える前端部が中間部よりも幅狭に形成されるのに対し、操作部１１８を備える後端部が中間部よりも幅広に形成されている。
【００３０】
雄ハウジング５０の下面、詳細にはフード部５２から端子収容部５１に亘る下面における幅方向の中央部には、ロックアーム１１０の幅狭の前端部よりも若干大きい溝幅を持った切割溝１２０が、全長に亘って形成されている。  
ロックアーム１１０は、図１１に示すように、中間部の上面における幅方向の両端部に設けられた一対の支点部１２１が、端子収容部５１の下面におけるフード部５２との境目付近に連結され、自然状態では、前端部のロック突部１１４が切割溝１２０を通してフード部５２内に突出した状態に形成されている。  
また、ロックアーム１１０の操作部１１８における幅方向の両端部と、収容部１１１の左右の側壁１２２とが、それぞれ連結部１２３によって連結されている。詳細には、図１６に示すように、連結部１２３は、その後端部が、ロックアーム１１０の操作部１１８における幅方向の両端部の前面に連結されるとともに、前端部の側縁が収容部１１１の側壁１２２の内面に連結されており、その前側の連結位置は、前後方向において上記した支点部１２１とほぼ同じ位置にある。両連結部１２３は主に、ロックアーム１１０の弾性力を大きく取ることに機能する。
【００３１】
そしてロックアーム１１０は、支点部１２１を支点として、ロック突部１１４がフード部５２内に進退するようにシーソー状に弾性変位可能となっている。また、後記するように、ロックの解除は、操作部１１８を押圧して、ロックアーム１１０を支点部１２１を支点として図１２の反時計回り方向に強制的に揺動させることで行われる。そのとき、ロックアーム１１０における後端部から中間部に亘る上面が、端子収容部５１の下面、すなわち上記したアース端子装着溝１００のうちの基板収容部１０１の底壁１０１Ａに当たることで、ロックアーム１１０のそれ以上の揺動が規制されるようになっている。
【００３２】
一方、相手の雌コネクタＦ側には、ロックアーム１１０に係止可能なロック凹部１３０が設けられている。上記したように、雌ハウジング１０は、雄ハウジング５０のフード部５２内に緊密に嵌合可能とされるが、図４及び図８に示すように、雌ハウジング１０の下面における幅方向の中央部には、ロックアーム１１０のロック突部１１４が進入可能なガイド溝１３１が、前面からリテーナ挿入孔４０の少し手前の位置に亘って形成されている。  
このガイド溝１３１は言い換えると、雌ハウジング１０の下面における両大キャビティ２５Ｌの間の領域を利用して形成されており、基本的には、図６に示すように、上記した切割溝１２０よりもさらに大きい幅を持った横長の方形で、かつ天井面の左右の角部にＣ面１３２を設けた断面形状となっている。ガイド溝１３１をこのような断面形状としたのは、両大キャビティ２５Ｌの周壁に所定の厚さを確保しつつ極力幅広に形成するためである。  
また、このガイド溝１３１の出入口１３１Ａにおける上縁並びに左右の側縁は、面取りされて誘い込み面１３３が形成されている。
【００３３】
上記したガイド溝１３１における長さ方向の中央部から少し前端側に寄った位置には、同ガイド溝１３１の全幅を埋めるようにして隔壁１３４が形成され、この隔壁１３４の後側に、ロックアーム１１０のロック突部１１４が嵌るロック凹部１３０が形成されている。隔壁１３４の後面、言い換えるとロック凹部１３０の前面が、略鉛直方向を向いたロック面１３５となっている。また、隔壁１３４の前面には、ロック突部１１４の乗り上げを案内するべく傾斜したガイド面１３６が形成されている。  
図２８にも示すように、ロック凹部１３０のロック面１３５は、言い換えるとガイド溝１３１と同じく幅広の断面形状であるから、ロックアーム１１０のロック突部１１４に対する掛かり代を大きく取ることができる。
【００３４】
本実施形態は上記のような構造であって、雌雄のコネクタＦ，Ｍの嵌合は、以下のようにして行われる。  
雌コネクタＦ側では、雌ハウジング１０のリテーナ挿入孔４０にリテーナ３０を挿入して仮係止位置に保持した状態において、図３に示すように、２個の雌シールド端子１３がそれぞれ対応する大キャビティ２５Ｌに挿入されて、ランス２６Ｌにより一次係止され、また図４に示すように、１個の雌端子２０が対応する小キャビティ２５Ｓに挿入されて、同じくランス２６Ｓにより一次係止される。続いて、リテーナ３０が本係止位置まで押し込まれることにより、各雌シールド端子１３、雌端子２０が二重係止される。
【００３５】
雄コネクタＭ側では、まず図２５に示すように、アース端子９０を雄ハウジング５０のアース端子装着溝１００に挿入すると、抜け止め片９５が基板収容部１０１の天井壁に食い込むことで抜け止めされて装着され、このとき、両端子接触片９２が端子接触片挿通溝１０４を通って両大キャビティ６５Ｌ内に進入するとともに、ブラケット接触片９４がブラケット接触片挿通溝１０５を通ってブラケット挿入空間８６内に進入する。  
それとともに、雄ハウジング５０のリテーナ挿入孔８０にリテーナ７０を挿入して仮係止位置に保持した状態において、図１１に示すように、２個の雄シールド端子５３がそれぞれ対応する大キャビティ６５Ｌに挿入されて、ランス６６Ｌにより一次係止される。この挿入状態では、雄シールド端子５３の雄外導体５３Ｃが、大キャビティ６５Ｌ内で待ち受けていたアース端子９０の端子接触片９２に対して弾性接触される。  
また図１２に示すように、１個の雄端子６０が対応する小キャビティ６５Ｓに挿入されて、同じくランス６６Ｓにより一次係止される。続いて、リテーナ７０が本係止位置まで押し込まれることにより、各雄シールド端子５３、雄端子６０が二重係止される。
【００３６】
このように組み付けられた雄コネクタＭは、ブラケットＢに対して取り付けられる。それには、図２１の矢線に示すように、雄ハウジング５０のブラケット挿入空間８６に対してブラケットＢを後方から挿入し、正規深さまで挿入されると、嵌合孔Ｂａに取付片８７の嵌合突起８７Ａが嵌ることで抜け止めされて取り付けられる。このとき、ブラケットＢに対してブラケット挿入空間８６内で待ち受けていたアース端子９０のブラケット接触片９４が弾性接触される。これにより、図２５に示すように、シールド電線１１におけるアース線である編組線１１Ｃが、雄シールド端子５３の雄外導体５３Ｃ及びアース端子９０を介してブラケットＢに対して電気的に接続され、もってアースが取られる。
【００３７】
このように雄コネクタＭがブラケットＢに対して取り付けられたら、同雄コネクタＭに対して雌コネクタＦが嵌合される。具体的には、図１及び図２の矢線に示すように、雌ハウジング１０が、雄ハウジング５０のフード部５２内に嵌合され、嵌合が半分程度進むと、ロックアーム１１０のロック突部１１４が、雌ハウジング１０のガイド溝１３１に出入口１３１Ａに臨む。さらに、雌ハウジング１０が押し込まれると、ロック突部１１４のガイド面１１６と、ガイド溝１３１内の隔壁１３４のガイド面１３６とが当たり合って、ロックアーム１１０が同図の反時計回り方向に揺動しつつロック突部１１４が隔壁１３４に乗り上げる。
【００３８】
雌ハウジング１０の前面が、雄ハウジング５０のフード部５２の奥面に突き当たる正規位置まで押し込まれたら、ロック突部１１４が隔壁１３４を通過することにより、ロックアーム１１０が復元弾力で時計回り方向に揺動しつつロック突部１１４がロック凹部１３０に嵌り、ロック面１１５，１３５同士が対向して係止し合うことによって、図２６及び図２７に示すように、雌雄のコネクタＦ，Ｍ同士が正規嵌合状態にロックされる。この間に、対応する雌雄のシールド端子１３，５３同士、及び雌雄の端子金具２０，６０同士が嵌合接続される。
【００３９】
なお、メンテナンス等で雌雄のコネクタＦ，Ｍの嵌合を外す場合は、ブラケット収容部１１１の窓孔１１２を通して操作部１１８を押圧することにより、ロックアーム１１０を図２６、図２７の反時計回り方向に強制的に揺動させると、ロック突部１１４がロック凹部１３０から抜け出ることでロックが外れるから、引き続いて雌コネクタＦ側を引っ張ることで、雌雄のコネクタＦ，Ｍを外すことができる。ロックアーム１１０を強制的に揺動させるべく操作部１１８を下方から押圧した場合に、後端側の上面が、アース端子装着溝１００における基板収容部１０１の底壁１０１Ａに当たることでロックアーム１１０の揺動が規制され、すなわちロックアーム１１０が過度に揺動することが防止される。  
また、取付片８７を弾性変位させてロックを外すことにより、雄コネクタＭをブラケットＢから外すことができる。
【００４０】
以上説明したように本実施形態によれば、雌雄のコネクタＦ，Ｍをロックする部分において、雄ハウジング５０に設けられたロックアーム１１０が、延出端に内向き（上向き）のロック突部１１４が形成された形状であることに対応して、同ロックアーム１１０に係止する手段が、雌ハウジング１０の外面（下面）で、かつ２個の略円形断面の大キャビティ２５Ｌの間のデッドスペースに、ロック凹部１３０を凹み形成したから、同ロック凹部１３０を形成するために外面に肉盛りする必要がなく、雌ハウジング５０の外形を小さく抑えることができる。また、ロック凹部１３０の正面から見た断面形状を、方形でかつ各大キャビティ２５Ｌと対向した２つの角にＣ面１３２が設けられた形状としたから、同ロック凹部１３０は、略円形断面をなす両大キャビティ２５Ｌの間のデッドスペースにおいて、両大キャビティ２５Ｌと干渉することなく極力幅広に形成でき、すなわちロックアーム１１０（ロック突部１１４）に対する掛かり代を大きく取ることができる。結果、雌ハウジング１０の大型化を招くことなく、ロック強度を高めることができる。
【００４１】
また、ロック凹部１３０の前側には、隔壁１３４を介してロック凹部１３０と同じ断面形状のガイド溝１３１が前面に開口して形成されている。そのため、ロックアーム１１０が弾性変位するのは、嵌合動作の終盤でロック突部１１４が隔壁１３４に乗り上げる場合だけで済み、そのため嵌合抵抗が小さく抑えられる。また、ガイド溝１３１の断面形状が方形と比べて複雑となっているために、ロックアーム１１０のロック突部１１４ががたつきをより有効に抑えられて進出し、嵌合動作がよりスムーズに行われる。
【００４２】
ガイド溝１３１の出入口１３１Ａの開口縁には、奥側に向けて次第に窄まるように傾斜した誘い込み面１３３が形成されているから、ロックアーム１１０が振れた姿勢で雌雄のハウジング１０，５０が嵌合されたとしても、ロックアーム１１０のロック突部１１４が誘い込み面１３３に当たって案内されることにより、ロックアーム１１０すなわち雄ハウジング５０が相対的に真直姿勢に向きを矯正されつつ、相手の雌ハウジング５０と嵌合され、嵌合動作がよりスムーズに行われる。
【００４３】
＜他の実施形態＞
本発明は上記記述及び図面によって説明した実施形態に限定されるものではなく、例えば次のような実施形態も本発明の技術的範囲に含まれる。  
（１）上記実施形態では、キャビティと干渉することなくロックアーム（ロック突部）に対する掛かり代を大きく取るために、ロック凹部のロック面並びにガイド溝の断面形状を、基本的に横長の方形で、かつキャビティに近い側の両角部にＣ面を設けた断面形状としたのであるが、方形の両角部に凹んだ円弧形面を形成する等、要は、方形でかつ各キャビティと対向した２つの角に面取りが施された断面形状であればよい。  
（２）上記実施形態では、２個の大キャビティが幅方向に並んだものを例示したが、上下方向に並んだものも本発明に含まれる。  
（３）２個並んだ大キャビティは、上記実施形態に例示したシールド端子に限らず、被覆電線に接続された通常の端子金具を収容することに用いるものであってもよい。
【００４４】
（４）ロックアームについては、上記実施形態に例示したシーソー状に弾性変位する形状に限らず、嵌合方向の前方に向けて片持ち状に延出し、基端側を中心として延出端側が弾性的に揺動変位する形式のものであってもよい。  
（５）本発明は、アース端子を備えないタイプのコネクタにも同様に適用可能である。
（６）本発明はまた、通常の被覆電線のみからなる電線群同士を接続するタイプのコネクタにも適用でき、また極数も任意である。
【図面の簡単な説明】
【００４５】
【図１】本発明の一実施形態に係る雌雄のコネクタの嵌合前の状態における大キャビティ部分で切断した縦断面図
【図２】同小キャビティ部分で切断した縦断面図
【図３】雌コネクタにおける大キャビティ部分で切断した分解縦断面図
【図４】同小キャビティ部分で切断した分解縦断面図
【図５】雌ハウジングの側面図
【図６】同正面図
【図７】同背面図
【図８】同底面図
【図９】雌コネクタ側のリテーナの正面図
【図１０】同平面図
【図１１】雄コネクタにおける大キャビティ部分で切断した分解縦断面図
【図１２】同小キャビティ部分で切断した分解縦断面図
【図１３】雄ハウジングの正面図
【図１４】同背面図
【図１５】同平面図
【図１６】図１３のａ−ａ線断面図
【図１７】雄コネクタ側のリテーナの正面図
【図１８】同背面図
【図１９】同底面図
【図２０】リテーナの係止構造を示す断面図
【図２１】雄ハウジングのブラケットに対する取付構造を示す側面図
【図２２】アース端子の背面図
【図２３】同平面図
【図２４】同側面図
【図２５】アース端子を装着した状態の雄ハウジングの背面図
【図２６】雌雄のコネクタの嵌合状態における大キャビティ部分で切断した縦断面図
【図２７】同小キャビティ部分で切断した縦断面図
【図２８】図８のｂ−ｂ線で切断した部分拡大断面図
【符号の説明】
【００４６】
Ｆ…雌コネクタ
Ｍ…雄コネクタ
１０…雌ハウジング（第１のコネクタハウジング）
１３…雌シールド端子（第１の端子）
２５Ｌ…大キャビティ
５０…雄ハウジング（第２のコネクタハウジング）
５１…端子収容部
５２…フード部
５３…雄シールド端子（第２の端子）
６５Ｌ…大キャビティ
１１０…ロックアーム
１１４…ロック突部
１１５…ロック面
１１６…ガイド面
１３０…ロック凹部
１３１…ガイド溝
１３１Ａ…（ガイド溝１３１の）出入口
１３２…Ｃ面（面取り）
１３３…誘い込み面
１３４…隔壁
１３５…ロック面
１３６…ガイド面
【図１】
0005120622.tif 000002
【図２】
0005120622.tif 000003
【図３】
0005120622.tif 000004
【図４】
0005120622.tif 000005
【図５】
0005120622.tif 000006
【図６】
0005120622.tif 000007
【図７】
0005120622.tif 000008
【図８】
0005120622.tif 000009
【図９】
0005120622.tif 000010
【図１０】
0005120622.tif 000011
【図１１】
0005120622.tif 000012
【図１２】
0005120622.tif 000013
【図１３】
0005120622.tif 000014
【図１４】
0005120622.tif 000015
【図１５】
0005120622.tif 000016
【図１６】
0005120622.tif 000017
【図１７】
0005120622.tif 000018
【図１８】
0005120622.tif 000019
【図１９】
0005120622.tif 000020
【図２０】
0005120622.tif 000021
【図２１】
0005120622.tif 000022
【図２２】
0005120622.tif 000023
【図２３】
0005120622.tif 000024
【図２４】
0005120622.tif 000025
【図２５】
0005120622.tif 000026
【図２６】
0005120622.tif 000027
【図２７】
0005120622.tif 000028
【図２８】
0005120622.tif 000029